(57)【要約】【課題】光源を有する被着光源装具と衣装とを分離して構成することで、ディスプレイ効果を演出する際の自由度を向上することができる被着光源装具、ディスプレイ装置、およびディスプレイシステムを提供する。【解決手段】被着光源装具１は、光源２と、光源２が配置される構成体と、を有し、被着光源装具１は、体Ｂに装着される衣装２０とは別体になっており、衣装２０の内側において体Ｂに対して着脱可能に配置されることを特徴とする。【選択図】図１
2020063534.tif 000002
【特許請求の範囲】
【請求項１】
光源と、前記光源が配置される構成体と、を有する被着光源装具であって、前記被着光源装具は、体に装着される衣装とは別体になっており、前記衣装の内側において前記体に対して着脱可能に配置される構成としたことを特徴とする被着光源装具。
【請求項２】
前記構成体は、帯状部材を組み合わせることで構成されており、前記帯状部材には、前記光源が配列されている請求項１に記載の被着光源装具。
【請求項３】
前記衣装は、前記光源が発する光を透す透光部を有することを特徴とする請求項１または請求項２に記載の被着光源装具。
【請求項４】
光源と、前記光源が配置される構成体と、を有し、体に装着される衣装とは別体になっており、前記衣装の内側において前記体に対して着脱可能に配置される被着光源装具と、
前記光源が発する光を透して前記衣装の外部にディスプレイを行う透光部を有する前記衣装と、
前記光源の発光を駆動するコントローラーと、
前記コントローラーに電源供給をするバッテリーと、
を備えることを特徴とするディスプレイ装置。
【請求項５】
光源と、前記光源が配置される構成体と、を有し、体に装着される衣装とは別体になっており、前記衣装の内側において前記体に対して着脱可能に配置される被着光源装具と、
前記光源が発する光を透して前記衣装の外部にディスプレイを行う透光部を有する前記衣装と、
前記光源の発光を駆動するコントローラーと、
前記コントローラーに電源供給をするバッテリーと、
前記コントローラーに接続された無線機と、
を有するディスプレイ装置と、
前記ディスプレイ装置の前記無線機に信号を送ることで、前記コントローラーにより前記光源の発光を行わせる無線機マスターを備えるホストと、
を備えることを特徴とするディスプレイシステム。
【発明の詳細な説明】
【技術分野】
【０００１】
本発明は、被着対象に装着して光源から光を出すことでディスプレイ効果を演出するための被着光源装具、ディスプレイ装置、およびディスプレイシステムに関する。
【背景技術】
【０００２】
例えば特許文献１には、ディスプレイ効果を演出するための発光モジュールを有する衣装が提案されている。この発光モジュールを有する衣装は、例えばダンサーの着用するステージ衣装等、激しい動きを行う環境下でも発光素子の点灯制御をより確実に行うことができ、一部の断線でも外部からみた点灯状態に支障を来しにくいものである。
【０００３】
発光モジュールを有する衣装は、衣服と、複数の発光素子を直列に接続した発光テープよりなる発光モジュールとを備え、発光モジュールは、外部から目視可能に衣服の上に直接配置している。各発光モジュールは、この発光モジュールを覆い隠す一方で光は透過させる被覆材料で衣服に形成された収納部において、着脱自在に取り付けられている。
【先行技術文献】
【特許文献】
【０００４】
【特許文献１】特開２０１６−１８３４４３号
【発明の概要】
【発明が解決しようとする課題】
【０００５】
ところが、この種の発光モジュールを有する衣装では、上述したように、発光モジュールを外部から目視可能に衣服上に直接配置している。このため、衣服と発光モジュールとは一体構造であり、衣服のみの洗濯ができず、衣服と発光モジュールを一緒に洗濯をすると、発光モジュールが濡れてしまい、脱水することで発光モジュールの故障が生じるおそれがある。
【０００６】
また、衣服に対して別の形態の発光モジュールに変更して配置することができない。すなわち、衣服と発光モジュールとは一体構造であり、衣服と発光モジュールを分けて使用することができない。このため、衣服上の発光モジュールを、ディスプレイ効果を演出するための別の形態の発光モジュールへ、バージョンアップすることができない。
【０００７】
このように、従来の発光モジュールを有する衣装は、ディスプレイ効果を演出する際の自由度が低く、工夫ができないものである。
【０００８】
本発明は、上記に鑑みてなされたもので、その目的とするところは、光源を有する被着光源装具と衣装とを分離して構成することで、ディスプレイ効果を演出する際の自由度を向上することができる被着光源装具、ディスプレイ装置、およびディスプレイシステムを提供することにある。
【課題を解決するための手段】
【０００９】
請求項１に記載の被着光源装具は、光源と、前記光源が配置される構成体と、を有する被着光源装具であって、前記被着光源装具は、体に装着される衣装とは別体になっており、前記衣装の内側において前記体に対して着脱可能に配置される構成としたことを特徴とする。
【００１０】
請求項１に記載の被着光源装具では、被着光源装具は衣装とは別体であり異なるので、被着光源装具は、点灯パターンを考慮して、光源の電気配線を自由に行える。このため、光源を衣装に直接配置する場合に比べて、点灯パターンを作成する自由度が向上する。被着光源装具は衣装とは別体であり異なるので、衣装とは関係なく、被着光源装具の形状を変えたり、光源の配置等の変更やバージョンアップが、自由に行える。被着光源装具は衣装とは別体であり異なるので、衣装のみの洗濯が可能である。被着光源装具は衣装とは別体であり異なるので、被着光源装具が使用者の体にフィットして動かないようにサイズの調整が自由に行える。
【００１１】
これにより、光源を有する被着光源装具と衣装とを分離して構成することで、ディスプレイ効果を演出する際の自由度を向上することができる。
【００１２】
請求項２に記載の被着光源装具では、前記構成体は、帯状部材を組み合わせることで構成されており、前記帯状部材には、前記光源が配列されている。
【００１３】
請求項２に記載の被着光源装具では、構成体は帯状部材を組み合わせることで、軽量化が図れ、体に密着して配置でき、着脱が容易にできる。光源は、帯状部材に任意のパターンで配置することができる。
【００１４】
請求項３に記載の被着光源装具では、前記衣装は、前記光源が発する光を透す透光部を有することを特徴とする。
【００１５】
請求項３に記載の被着光源装具では、衣装は、光源の光を透す透光部を有するので、透光部を任意のパターンに形成するだけで、衣装の内側から衣装の透光部を通して光源による所望のディスプレイの演出が行える。
【００１６】
請求項４に記載のディスプレイ装置は、光源と、前記光源が配置される構成体と、を有し、体に装着される衣装とは別体になっており、前記衣装の内側において前記体に対して着脱可能に配置される被着光源装具と、前記光源が発する光を透して前記衣装の外部にディスプレイを行う透光部を有する前記衣装と、前記光源の発光を駆動するコントローラーと、前記コントローラーに電源供給をするバッテリーと、を備えることを特徴とする。
【００１７】
請求項４に記載の光源を有するディスプレイ装置では、被着光源装具は衣装とは別体であり異なるので、被着光源装具は、点灯パターンを考慮して、光源の電気配線を自由に行える。このため、光源を衣装に直接配置する場合に比べて、点灯パターンを作成する自由度が向上する。被着光源装具は衣装とは別体であり異なるので、衣装とは関係なく、被着光源装具の形状を変えたり、光源の配置等の変更やバージョンアップが、自由に行える。被着光源装具は衣装とは別体であり異なるので、衣装のみの洗濯が可能である。被着光源装具は衣装とは別体であり異なるので、被着光源装具が使用者の体にフィットして動かないようにサイズの調整が自由に行える。
【００１８】
これにより、光源を有する被着光源装具と衣装とを分離して構成することで、ディスプレイ効果を演出する際の自由度を向上することができる。
【００１９】
しかも、ディスプレイ装置は、コントローラーとバッテリーを備えるので、光源は、バッテリーから直接電源供給を受けることができ、建物の商用電源等からの電源供給を受ける必要が無く、被着光源装具と衣装を装着した状態で、自由に移動できる。
【００２０】
請求項５に記載の光源を有するディスプレイシステムは、光源と、前記光源が配置される構成体と、を有し、体に装着される衣装とは別体になっており、前記衣装の内側において前記体に対して着脱可能に配置される被着光源装具と、前記光源が発する光を透して前記衣装の外部にディスプレイを行う透光部を有する前記衣装と、前記光源の発光を駆動するコントローラーと、前記コントローラーに電源供給をするバッテリーと、前記コントローラーに接続された無線機と、を有するディスプレイ装置と、前記ディスプレイ装置の前記無線機に信号を送ることで、前記コントローラーにより前記光源の発光を行わせる無線機マスターを備えるホストと、を備えることを特徴とする。
【００２１】
請求項５に記載の光源を有するディスプレイシステムでは、被着光源装具は衣装とは別体であり異なるので、被着光源装具は、点灯パターンを考慮して、光源の電気配線を自由に行える。このため、光源を衣装に直接配置する場合に比べて、点灯パターンを作成する自由度が向上する。被着光源装具は衣装とは別体であり異なるので、衣装とは関係なく、被着光源装具の形状を変えたり、光源の配置等の変更やバージョンアップが、自由に行える。被着光源装具は衣装とは別体であり異なるので、衣装のみの洗濯が可能である。被着光源装具は衣装とは別体であり異なるので、被着光源装具が使用者の体にフィットして動かないようにサイズの調整が自由に行える。
【００２２】
これにより、光源を有する被着光源装具と衣装とを分離して構成することで、ディスプレイ効果を演出する際の自由度を向上することができる。
【００２３】
しかも、ディスプレイ装置は、コントローラーとバッテリーを備えるので、光源は、バッテリーから直接電源供給を受けることができ、建物等の商用電源からの電源供給を受ける必要が無く、被着光源装具と衣装を装着した状態で、自由に移動できる。
【００２４】
ホストの無線機マスターは、被着光源装具と衣装側の無線機を通じて、各被着装具の光源の発光を行わせることができ、複数組の被着光源装具と衣装においてそれぞれ同じパターンで光源の発光、あるいは異なるパターンで光源の発光を行わることができる。
【発明の効果】
【００２５】
本発明によれば、光源を有する被着光源装具と衣装とを分離して構成することで、ディスプレイ効果を演出する際の自由度を向上することができる被着光源装具、ディスプレイ装置、およびディスプレイシステムを提供することができる。
【図面の簡単な説明】
【００２６】
【図１】本発明の光源を有する被着光源装具の好ましい第１実施形態を示す正面図である。
【図２】図１に示す被着光源装具を示す後ろから見た背面図である。
【図３】被着光源装具用のバッテリーとコントローラーの装着例を示す後ろから見た背面図である。
【図４】被着光源装具の上に透光部を有する衣装を着た状態を示し、（Ａ）は正面図、（Ｂ）は背面図である。
【図５】複数のディスプレイ装置の好ましい構成例を示す図である。
【図６】ディスプレイシステムの構成例を示す図である。
【図７】本発明の第２実施形態を示す図である。
【図８】本発明の第３実施形態を示す図である。
【発明を実施するための形態】
【００２７】
以下、図面を用いて、本発明の好ましい実施形態を詳しく説明する。
【００２８】
（第１実施形態）
図１は、本発明の光源を有する被着光源装具（以下、単に被着光源装具という）の好ましい第１実施形態を示す正面図であり、図２は、図１に示す被着光源装具を示す後ろから見た背面図である。図３は、被着光源装具用のバッテリーとコントローラーの装着例を示す後ろから見た背面図である。図１と図２では、被着光源装具１は、被着対象としての使用者Ｈの体Ｂに対して装着された状態を示している。図３では、被着光源装具１の内のバッテリー４０とコントローラー３０だけを示している。
【００２９】
また、図４は、この被着光源装具１の上に透光部２１を有する衣装２０を着た状態を示している。図４（Ａ）は、被着光源装具１の上に透光部２１を有する衣装２０を着た状態を示す正面図であり、図４（Ｂ）は、被着光源装具１の上に透光部２１を有する衣装２０を着た状態を示す背面図である。
【００３０】
（被着光源装具１について）
図１から図４の例では、使用者Ｈは、例えばファッションショーに出場する女性である。被着光源装具１は、使用者Ｈの体Ｂに必要な下着（図示せず）を着た上で、その下着の上に着脱可能に装着されている。この被着光源装具１は、例えばファッションショー等で使用者Ｈが激しい動作を行っても、その動作に対応できるように、好ましくは体Ｂに密着して装着されている。
【００３１】
図１と図２に示すように、被着光源装具１は、光源２と、これらの光源２が配置される構成体３と、を有する。複数の光源２は、例えば構成体３の表面側に一定の間隔をおいて配列されている。
【００３２】
（光源２）
光源２は、例えば小型のＬＥＤ（発光ダイオード）であり、配列されている各光源２は、発光ダイオードアレイで構成することができる。また、光源全体を面光源とすることもできる。各光源２は、後で説明するコントローラー（図３に示すコントローラー３０）からの駆動信号により、赤色から紫色までの任意の各色（例えば６４色）を発光することができる。各光源２は、例えば薄板状のフレキシブルプリント配線板上に配列されており、各光源２は、構成体３の上に容易に例えば貼り付けて取り付けることができ、光源２が構成体３から取れない。光源２は、帯状部材に任意のパターンで配置することができる。例えば、光源２の配置間隔や、配置密度等は、任意に設定できる。
【００３３】
（構成体３）
図１と図２に示す構成体３は、伸縮可能若しくは伸縮しないで、軽量でしかも丈夫な素材で作られている。構成体３は、例えばナイロン等の薄いフレキシブルな帯状部材、薄いフレキシブルな革製の帯状部材、あるいは電気絶縁被覆を施した薄いフレキシブルな金属製の帯状部材等を用いて、縦横に組み合わせることで作られている。この構成体３は、使用者Ｈの体Ｂに装着すると、好ましくは体Ｂにぴったりと密着する。
【００３４】
これにより、構成体３は帯状部材を組み合わせることで、軽量化が図れ、体Ｂに対する密着性が確保でき、しかも着脱が容易にできる。
【００３５】
図１と図２に示す構成体３の構造例を説明する。
【００３６】
構成体３は、肩掛けひも部分４，４と、複数本の縦ひも部分５と、複数本の横ひも部分６とを有する。複数本の縦ひも部分５と、複数本の横ひも部分６とは、体Ｂの形状に合わせて、ほぼマトリックス状あるいは格子状に接続して固定することで、構成体３が作られている。
【００３７】
図１に示すように、肩掛けひも部分４，４の前側の下端部は、最も上段の縦ひも部分５と、横ひも部分６との接続箇所７，７において接続されている。図２に示すように、肩掛けひも部分４，４の後側の下端部は、最も上段の縦ひも部分５と、横ひも部分６との接続箇所８，８において接続されている。
【００３８】
各肩掛けひも部分４，４には、その長手方向の任意の位置にバックル等の分離・結合できる分離・結合素材を設けて、構成体３の体Ｂへの装着および脱着を容易にできるようにしても良い。
【００３９】
（衣装２０について）
図４には、この構成体３の上にさらに衣装２０が装着された状態を示しているが、構成体３は、体Ｂに装着される衣装２０とは別体になっている。構成体３は、この衣装２０の内側において、体Ｂに対して着脱可能に配置される。
【００４０】
図４に示す衣装２０は、例えば体Ｂの形状に合わせて作られており、各光源２の光を透す透光部２１を有する。この透光部２１の形状や配置形態は、光源２の光を透すことができれば良く、例えば半透明や透明であったり、小さい多数の孔を形成することで構成されている。
【００４１】
図４に示す透光部２１の形状は、光源２の配列に合わせて任意に設定でき、特に限定されない。衣装２０は、光源２の光を透す透光部２１を有するので、透光部２１を任意のパターンに形成するだけで、衣装２０の内側から光源２による所望のディスプレイの演出が行える。透光部２１としては、衣装２０の下側の光源２自体が見えないようにすることが望ましい。
【００４２】
（ディスプレイ装置１００について）
次に、図５を参照して、ディスプレイ装置１００について説明する。図５は、複数のディスプレイ装置１００の好ましい構成例を示している。
【００４３】
ディスプレイ装置１００は、上述した被着光源装具１と、衣装２０と、コントローラー３０と、バッテリー４０と、無線機５０を備える。各ディスプレイ装置１００は、図１に示す各使用者Ｈの体Ｂに装着される。コントローラー３０は、例えば薄板状のフレキシブルプリント配線板３１を介して、被着光源装具１に配置されている各光源２に対して電気的に接続されている。
【００４４】
バッテリー４０は、コントローラー３０に対して電気的に接続されており、コントローラー３０と無線機５０に電源供給を行う。バッテリー４０がコントローラー３０に電源供給を行うことで、コントローラー３０は、各光源２の発光（点灯）を、任意の発光パターンに従って、駆動制御を行う。各無線機（Ｓ１、Ｓ２、Ｓ３で表示されている）５０は、子無線機であり、それぞれコントローラー３０に電気的に接続されている。
【００４５】
（ホスト２００）
一方、図５に示すホスト２００は、各ディスプレイ装置１００とは異なり、各ディスプレイ装置１００における光源２の発光パターンの制御を、一斉に統合して行う。
【００４６】
ホスト２００は、コンピュータ２０１と、バッテリー２０２と、無線機マスター２０３を有する。ホスト２００のコンピュータ２０１は、各ディスプレイ装置１００の各光源２の発光駆動制御（点灯駆動制御）を実施するためのプログラムＰＧが搭載されている。バッテリー２０２は、コンピュータ２０１とバッテリー２０２に電源供給を行う。このホスト２００と、１つまたは複数のディスプレイ装置１００は、ディスプレイシステム３００を構成している。
【００４７】
コンピュータ２０１は、プログラムＰＧに従って、無線機マスター２０３に対して、各光源２の発光駆動制御信号Ｇを供給する。無線機マスター２０３は、各ディスプレイ装置１００の無線機５０に対して、発光駆動制御信号Ｇに従って、それぞれ無線信号Ｒを送る。
【００４８】
各無線機５０は、無線信号Ｒを受信すると、コントローラー３０は、発光制御信号Ｔを各光源２に送る。これにより、各光源２は、各ディスプレイ装置１００において、コンピュータ２０１のプログラムＰＧに従って、同じ発光パターンかまたは異なる発光パターンで発光（点灯）させることができる。
【００４９】
コンピュータ２０１のプログラムＰＧに従って行える各光源２の発光パターンの例としては、例えば次のような態様がある。
【００５０】
縦方向に直列に配列されている複数の光源２が、同じ色で同時に発光し、各列の複数の光源２が、時間間隔をおいて、順次発光していく。
【００５１】
縦方向に直列に配列されている各光源２がそれぞれ異なる色で同時に発光し、各列の複数の光源２が、同時に発光する。
【００５２】
縦方向に直列に配列されている各光源２がそれぞれ異なる色で同時に発光し、各列の複数の光源２が、時間間隔をおいて、順次発光していく。
【００５３】
縦方向に直列に配列されている各光源２が、上から下に向けて順番に発光して、各列の複数の光源２が、同時に発光する。
【００５４】
縦方向に直列に配列されている各光源２が、上から下に向けて順番に発光するが、各列の複数の光源２が、時間間隔をおいて、順次発光していく。
【００５５】
しかし、各光源２の発光パターンは、上述した例に限定されず、コンピュータ２０１は、プログラムＰＧに従って、任意に設定できる。
【００５６】
（ディスプレイシステム３００Ａ）
図６は、ディスプレイシステム３００Ａの構成例を示している。このディスプレイシステム３００Ａは、図５に示すディスプレイシステム３００に比べると、ホスト２００（ホストＡからホストＤで示す）の数と、ディスプレイ装置１００の数を増やしている。このディスプレイシステム３００Ａは、例えば大規模なファッションショー等の催しものに対応することができる。
【００５７】
各ホスト２００の無線機マスター２０３が、対応可能なディスプレイ装置１００の無線機５０の数は、例えば５０台（Ｓ１からＳ５０で示す）まで可能である。
【００５８】
これにより、図１に示す例えば、１００人の使用者Ｈが例えばファッションショーを行うモデルである場合には、各使用者Ｈが装着している被着光源装具１における各光源の発光駆動制御を、無線で一斉にできる。各モデルが装着している被着光源装具１における各光源の発光パターンは、ホスト２００のコンピュータ２０１のプログラムＰＧに従って、無線で一斉に同じにすることができるし、無線で一斉に全く異なるようにすることも可能である。
【００５９】
ホスト２００の無線機マスター２０３は、被着光源装具１と衣装２０側の無線機５０を通じて、光源２の発光を行わせることができ、複数組の被着光源装具１と衣装２０においてそれぞれ同じにあるいは異なるようなパターンで光源２の発光を行わることができる。また、各ディスプレイ装置１００から、発光状況等の動作状態を各ホスト２００にフィードバックして発光ディスプレイをより確実に実行できるようにすると良い。
【００６０】
上述した本発明の第１実施形態では、光源２を有する被着光源装具１と衣装２０と、を分離して構成することで、ディスプレイ効果を演出する際の自由度を向上することができる。
【００６１】
例えば、図４に示す使用者Ｈが、被着光源装具１と衣装２０を身に着けた状態で、例えばファッションショー等の催しものにおいて、光源２の発光表示により、ショーディスプレイを行うことができる。この場合に、各使用者Ｈが同じ光源の発光パターンで発光表示できるばかりではなく、異なる発光パターンで表示できる。このため、高いショーアップ効果を得ることができる。
【００６２】
コントローラー３０とバッテリー４０を備える。このため、光源２は、バッテリー４０から直接電源供給を受けることができ、例えば建物等の商用電源からの電源供給を受ける必要が無く、使用者は、被着光源装具１と衣装２０を装着した状態で、自由に移動したり活動することができる。
【００６３】
構成体３に配置された複数の光源２が発生する光は、例えば図４に例示する衣装２０の透光部２１を通じて衣装２０の外部から見ることができる。光源２が発生する光は衣装２０を通して見ることができるので、衣装２０のショーアップ効果を図ることができる。ホスト２００のコンピュータ２０１がプログラムＰＧに従って、光源２が発生する光の発光パターンや、強弱、あるいは色の変化を自由に設定することができる。このため、衣装２０のショーアップ効果を図ることができる。
【００６４】
光源２を備える被着光源装具１と、衣装２０とが、別体あるいは分離した構成となっているので、次のようなメリットがある。
【００６５】
被着光源装具１は衣装２０とは別体であり異なるので、被着光源装具１は、発光パターンを考慮して、光源２の電気配線を機能重視して自由に行える。このため、光源を衣装に直接配置する場合に比べて、発光パターンを作成する自由度が向上する。
【００６６】
被着光源装具１は衣装２０とは別体であり異なるので、衣装２０とは関係なく、被着光源装具１の形状を変えたり、光源２の配置等の変更やバージョンアップが、自由に行える。
【００６７】
被着光源装具１は衣装２０とは別体であり異なるので、衣装２０のみの洗濯が可能である。被着光源装具１は衣装２０とは別体であり異なるので、被着光源装具１が使用者Ｈの体Ｂにフィットして動かないようにサイズの調整が自由に行える。
【００６８】
衣装２０の下に被着光源装具１を着用できるので、各光源２の存在は、衣装２０により隠して直接見えないようにすることができる。あるいは、各光源２の存在は、衣装２０によりの内側から、積極的に見えるようにすることもできる。これにより、上に着る衣装２０の構成は、自由に設定でき、衣装２０の構成や材質を特定して採用する自由度が増す。被着光源装具１は、衣装２０の内側にあり外には出ないので、被着光源装具１は汚れにくい。
【００６９】
（第２実施形態）
次に、本発明の第２実施形態を、図７を参照して説明する。上述した本発明の第１実施形態では、被着対象としては人である使用者Ｈの体Ｂを例に挙げている。これに対して、本発明の第２実施形態では、図７に示すように、被着光源装具１Ａと衣装２０Ａは、人ではなく動物としての、例えば犬の体Ｎに装着されている。
【００７０】
被着光源装具１Ａは、犬の体Ｎに合わせた形状を有しており、被着光源装具１Ａは、体Ｎの上に直接的に着脱可能に装着されている。
【００７１】
被着光源装具１Ａは、光源２Ａと、これらの光源２Ａが配置される構成体３Ａと、を有する。複数の光源２Ａは、構成体３Ａの表面側に一定の間隔をおいて配列されている。光源２Ａは、例えばＬＥＤ（発光ダイオード）であり、配列されている各光源２Ａは、発光ダイオードアレイで構成することができる。また、光源全体を面光源とすることもできる。
【００７２】
各光源２Ａは、コントローラー３０Ａからの駆動信号により赤色から紫色までの任意の各色（例えば６４色）を発光することができる。各光源２Ａは、例えば薄板状のフレキシブルプリント配線板上に配列することで、各光源２Ａは、構成体３Ａの上に容易に取り付けることができる。
【００７３】
構成体３Ａは、伸縮可能若しくは伸縮しないで、軽量でしかも丈夫な素材で作られている。構成体３Ａは、例えばナイロン等の薄いフレキシブルな帯状部材、薄いフレキシブルな革製の帯状部材、あるいは電気絶縁被覆を施した薄いフレキシブルな金属製の帯状部材等を用いて、縦横に組み合わせることで作られている。この構成体３Ａは、体Ｎに装着すると、体Ｎにぴったりと密着する。これにより、例えば犬の体Ｎが激しい動作を行っても、構成体３Ａはずれない。
【００７４】
構成体３Ａの構造例では、構成体３Ａは、複数本の縦ひも部分５Ａと、複数本の横ひも部分６Ａとを有する。複数本の縦ひも部分５Ａと、複数本の横ひも部分６Ａとは、体Ｎの形状に合わせてほぼマトリックス状あるいは格子状に接続して固定することで、構成体３Ａが作られている。各光源２Ａは、プログラムに従って、同じ発光パターンかまたは異なる発光パターンで発光することができる。これにより、犬のような動物が、散歩をするような移動時などに、動物の存在を明示して安全を図ることができるとともに、ファッション性を向上することができる。
【００７５】
構成体３Ａの上に衣装２０Ａが装着された状態を示しているが、構成体３Ａは、体Ｂに装着される衣装２０Ａとは別体になっている。構成体３Ａは、この衣装２０Ａの内側において、体Ｎに対して着脱可能に配置される。
【００７６】
衣装２０Ａは、体Ｎの形状に合わせて作られており、各光源２Ａの光を透す透光部２１Ａを有する。この透光部２１Ａは、光源２Ａの光を透すことができれば良く、半透明や透明であったり、小さい多数の孔を形成することで構成されている。透光部２１Ａの形状は、光源２Ａの配列に合わせて任意に設定でき、特に限定されない。
【００７７】
ディスプレイ装置１００Ａは、上述した被着光源装具１Ａと、衣装２０Ａと、コントローラー３０Ａと、バッテリー４０Ａと、無線機５０Ａを備える。
【００７８】
被着光源装具１Ａは衣装２０Ａとは別体であり異なるので、被着光源装具１は、発光パターンを考慮して、光源２Ａの電気配線を機能重視して自由に行える。このため、光源を衣装に直接配置する場合に比べて、発光パターンを作成する自由度が向上する。
【００７９】
被着光源装具１Ａは衣装２０Ａとは別体であり異なるので、衣装２０Ａとは関係なく、被着光源装具１Ａの形状を変えたり、光源２Ａの配置等の変更やバージョンアップが、自由に行える。
【００８０】
被着光源装具１Ａは衣装２０Ａとは別体であり異なるので、衣装２０Ａのみの洗濯が可能である。被着光源装具１Ａは衣装２０Ａとは別体であり異なるので、被着光源装具１Ａが体Ｎにフィットして動かないようにサイズの調整が自由に行える。
【００８１】
衣装２０Ａの下に被着光源装具１Ａを着用できるので、各光源２Ａは、衣装２０Ａにより隠して直接見えないようにすることができる。あるいは、各光源２Ａは、衣装２０の内側から見えるようにすることもできる。これにより、上に着る衣装２０Ａの構成は、自由に設定でき、衣装２０Ａの構成や材質を特定して採用する自由度が増す。被着光源装具１Ａは、衣装２０Ａの内側にあり外には出ないので、被着光源装具１Ａは汚れにくい。
【００８２】
上述した本発明の第２実施形態では、光源を有する被着光源装具１Ａと衣装２０Ａとを分離して構成することで、犬等の動物においても、ディスプレイ効果を演出する際の自由度を向上することができる。
【００８３】
（第３実施形態）
次に、本発明の第３実施形態を、図８を参照して説明する。上述した本発明の第３実施形態では、被着対象としては人である使用者Ｈの体Ｂを例に挙げている。この例の使用者Ｈは、例えば警備員や、警察官、あるいは消防士等の屋内外の現場で活躍する職種の人である。
【００８４】
被着光源装具１Ｂは、使用者Ｈの体Ｍに合わせた形状を有しており、被着光源装具１Ｂは、体Ｍの上に直接着脱可能に装着されている。
【００８５】
被着光源装具１Ｂは、光源２Ｂと、これらの光源２Ｂが配置される構成体３Ｂと、を有する。複数の光源２Ｂは、構成体３Ｂの表面側に一定の間隔をおいて配列されている。光源２Ｂは、例えばＬＥＤ（発光ダイオード）であり、配列されている各光源２Ｂは、発光ダイオードアレイで構成することができる。また、光源全体を面光源とすることもできる。
【００８６】
各光源２Ｂは、コントローラー３０Ｂからの駆動信号により赤色から紫色までの任意の各色（例えば６４色）を発光することができる。各光源２Ｂは、例えば薄板状のフレキシブルプリント配線板上に配列することで、各光源２Ｂは、構成体３Ｂの上に容易に取り付けることができ、光源２Ｂが構成体３Ｂから取れないように取り付けることができる。
【００８７】
構成体３Ｂは、伸縮可能若しくは伸縮しないで、軽量でしかも丈夫な素材で作られている。構成体３Ｂは、例えばナイロン等のフレキシブルな帯状部材、フレキシブルな薄い革製の帯状部材、あるいは電気絶縁被覆を施したフレキシブルな薄い金属製の帯状部材等を用いて、縦横に組み合わせることで作られている。この構成体３Ｂは、体Ｍに装着すると、体Ｍにぴったりと密着する。これにより、使用者Ｈが作業を行っても、構成体３Ｂがずれない。
【００８８】
構成体３Ｂの構造例では、構成体３Ｂは、２本の肩掛けひも４Ｂ，４Ｂと、複数本の縦ひも部分５Ｂと、複数本の横ひも部分６Ｂとを有する。複数本の縦ひも部分５Ｂと、複数本の横ひも部分６Ｂとは、体Ｍの形状に合わせてほぼマトリックス状あるいは格子状に接続して固定することで、構成体３Ｂが作られている。各光源２Ｂは、コントローラー３０Ｂからの発光制御に従って、同じ発光パターンかまたは異なる発光パターンで発光することができる。これにより、使用者Ｈが、警備等の任務を実行する際に、昼夜を問わずに使用者Ｈの存在を明示して安全を図ることができる。
【００８９】
構成体３Ｂの上に衣装２０Ｂが装着された状態を示しているが、構成体３Ｂは、体Ｂに装着される衣装２０Ｂとは別体になっている。構成体３Ｂは、この衣装２０Ｂの内側において、体Ｍの例えば上半身に対して密着して着脱可能に配置される。
【００９０】
衣装２０Ｂは、体Ｍの形状に合わせて作られており、各光源２Ｂの光を透す透光部２１Ｂを有する。この透光部２１Ｂは、光源２Ｂの光を透すことができれば良く、半透明や透明であったり、小さい多数の孔を形成することで構成されている。透光部２１Ｂの形状は、光源２Ｂの配列に合わせて任意に設定でき、特に限定されない。
【００９１】
ディスプレイ装置１００Ｂは、上述した被着光源装具１Ｂと、衣装２０Ｂと、コントローラー３０Ｂと、バッテリー４０Ｂと、無線機５０Ｂを備える。
【００９２】
被着光源装具１Ｂは衣装２０Ｂとは別体であり異なるので、被着光源装具１は、発光パターンを考慮して、光源２Ｂの電気配線を機能重視して自由に行える。このため、光源を衣装上に直接配置する場合に比べて、発光パターンを作成する自由度が向上する。
【００９３】
被着光源装具１Ｂは衣装２０Ｂとは別体であり異なるので、衣装２０とは関係なく、被着光源装具１Ｂの形状を変えたり、光源２Ｂの配置等の変更やバージョンアップが、自由に行える。
【００９４】
被着光源装具１Ｂは、作業用の制服のような衣装２０Ｂとは別体であり異なるので、衣装２０Ｂのみの洗濯が可能である。
【００９５】
被着光源装具１Ｂは、作業用の制服のような衣装２０Ｂとは別体であり異なるので、被着光源装具１Ｂが使用者の体Ｍにフィットして動かないようにサイズの調整が自由に行える。
【００９６】
衣装２０Ｂの下に被着光源装具１Ｂを着用できるので、各光源２Ｂは、衣装２０Ｂにより隠して直接見えないようにすることができる。あるいは、各光源２Ｂは、衣装２０の内側から見えるようにすることもできる。これにより、上に着る衣装２０Ｂの構成は、自由に設定でき、衣装２０Ｂの構成や材質を特定して採用する自由度が増す。被着光源装具１Ｂは、衣装２０Ｂの内側にあり外には出ないので、被着光源装具１Ｂは汚れにくい。
【００９７】
上述した本発明の第３実施形態では、光源を有する被着光源装具１Ｂと衣装２０Ｂとを分離して構成することで、例えば警備員や、警察官、あるいは消防士等の現場において、ディスプレイ効果を演出する際の自由度を向上することができる。
【００９８】
本発明の実施形態は、本発明の範囲を限定せず、その他の様々な態様で実施することが可能であり、本発明の要旨を逸脱しない範囲で、種々の省略、置き換え、変更を行うことができる。
【００９９】
図示した実施形態では、光源２は、例えばＬＥＤ（発光ダイオード）のアレイを用いている。しかし、これに限らず、光源としては、例えば面発光する有機ＥＬ（エレクトロルミネッセンス）発光素子、レーザダイオード発光素子、あるいはバックライトを有する液晶表示装置等であっても良い。
【０１００】
図示例では、各光源は、縦方向に配列されているが、横方向に配列したり、マトリックス状に配列することができる。光源２は、一例として点光源を配列しているが、面発光する光源、あるいは面発光する光源と点光源を組み合わせても良い。
【０１０１】
あるいは、各光源は、任意の図形、例えば円形や三角形形状等に配列することができる。さらに、各光源は、任意の文字、例えばアルファベットや漢字、ひらがな、カタカナ等を模って配列することもできる。このように、各光源の配列形態や表示内容は、特に限定されない。例えば、光源は、表示内容として、用途に応じて「作業中」、「危険」、「ＰＯＬＩＣＥ」等の文字を表示することができる。
【０１０２】
構成体は、複数本の縦ひも部分と、複数本の横ひも部分を有しているが、これに限定されず、被着対象の種類や、光源の配置形態に合わせて、任意の形状を採用できる。構成体は、ひも部分を縦横に編んで互いに圧着等で固定しても良いし、布状の部材を必要な形状に打ち抜くことで、構成しても良い。
【０１０３】
また、前記第１実施形態の構成体３は、ワンピース様に形成されているが、ツーピース様に形成したり、袖部を形成して、相互に通電制御できるようにしても良い。更に、袖部の有無を選択できる上半身の胴部とズボン部とに分けて形成して、相互に通電制御できるようにしても良い。
【０１０４】
また、前記第１実施形態においては、図５および図６に示すように、各ホスト２００から各ディスプレイ装置１００に動作信号を送信して発光制御しているが、ディスプレイ装置１００に外付け若しくは内付けのメモリを設けて、当該メモリに各ディスプレイ装置１００の発光動作を制御する発光プログラムを記憶させて、各ホスト２００より各ディスプレイ装置１００に対してメモリに記憶されている発光プログラムのスタートおよびストップを指示して、各ディスプレイ装置１００を発光制御すると良い。勿論、各ホスト２００においては、メモリに発光プログラムの書き込みを実行できるように形成すると良い。また、各ディスプレイ装置１００から、発光状況等の動作状態や、ファッションショー等におけるＢＧＭや観客の歓声等のイベント環境を各ホスト２００にフィードバックして、発光ディスプレイをイベント環境に相応しい内容にして実行できるようにすると良い。
【符号の説明】
【０１０５】
１      被着光源装具
２      光源
３      構成体
４      肩掛けひも部分
５      縦ひも部分
６      横ひも部分
２０    衣装
３０    コントローラー
４０    バッテリー
５０    無線機
１００  ディスプレイ装置
２００  ホスト
２０１  コンピュータ
２０２  バッテリー
２０３  無線機マスター
３００  ディスプレイシステム
【図１】
2020063534.tif 000003
【図２】
2020063534.tif 000004
【図３】
2020063534.tif 000005
【図４】
2020063534.tif 000006
【図５】
2020063534.tif 000007
【図６】
2020063534.tif 000008
【図７】
2020063534.tif 000009
【図８】
2020063534.tif 000010